(57)【特許請求の範囲】
【請求項１】
遊技盤に移動可能に支持され、ゲームを演出するための可動体と、モータ及び該モータの出力軸に固定され、前記可動体に設けられた歯部に噛合するギヤを含む駆動手段とを備え、前記可動体を前記モータの動力によって移動させるようにした遊技機において、
前記遊技盤の裏面側に固定される部分及び前記可動体の前記歯部へ向く方向へ弾性変形可能な弓形状の弾性変形部を一体的に形成した合成樹脂製の付勢体を備え、
前記モータを含む前記駆動手段は、前記ギヤが前記可動体の前記歯部に対して接近、離間する方向へ移動し得るように前記遊技盤の裏面側に支持されるとともに、前記弾性変形部の弾性力により前記ギヤが前記歯部に接近する方向へ付勢され、前記ギヤに対して前記歯部から押圧力が作用した際、前記弾性変形部の弾性力に抗する方向へ移動することを特徴とする遊技機。
【請求項２】
可動体は、密閉された内部空間に液体が収容され、遊技盤に回転可能に支持されるとともに、その外周に駆動手段のギヤに噛合する歯部を有する円板状をなすことを特徴とする請求項１記載の遊技機。
【請求項３】
駆動手段を、ギヤが可動体の下半分より上方にある歯部に噛合する位置に配置したことを特徴とする請求項２記載の遊技機。
【請求項４】
弾性変形部の長手方向のほぼ中央部に、駆動手段側に設けられた突起部が係合する凹部を設けたことを特徴とする請求項１〜３のいずれかに記載の遊技機。
【発明の詳細な説明】
【技術分野】
【０００１】
本発明は、遊技盤にゲームを演出するための可動体を設けた遊技機に関する。
【背景技術】
【０００２】
パチンコ機等の遊技機においては、遊技盤のほぼ中央部に設けられた液晶画面等で構成される表示装置に表示される図柄列の組合せが、予め定められた表示態様になると、表示装置の前面に設けられた透明な合成樹脂材により形成された大型の可動体をモータの動力により回転させることによって、可動体の内部に封入された液体に泡を発生させる等して、ゲームの演出効果を高めるようにしたものがある（例えば、特許文献１参照）。
【特許文献１】特開２００５−１７７３２４号
【発明の開示】
【発明が解決しようとする課題】
【０００３】
上記特許文献１に記載された遊技機においては、特に遊技機を搬送するときの振動等の影響を受けて、可動体が大型で重量が大であるため、可動体の回転軸線方向に対して直交する方向へがた付くことがある。可動体にがた付きが発生すると、そのがた付きはモータのギヤに伝達され、モータやギヤ等に大きな負荷が作用することとなる。この結果、負荷が加わる箇所が変形する等して、可動体の円滑な回転が不能になるおそれがある。特に、可動体に液体が封入されている場合には、可動体の重量が大であるため、モータやギヤ等に作用する負荷は著しく大になる。
【０００４】
本発明は、上述のような従来の課題を解決するためになされたもので、可動体ががた付いても、モータ等に悪影響を与えることがないようにした遊技機を提供することにある。
【課題を解決するための手段】
【０００５】
本発明によると、上記課題は、次のようにして解決される。
（１）遊技盤に移動可能に支持され、ゲームを演出するための可動体と、モータ及び該モータの出力軸に固定され、前記可動体に設けられた歯部に噛合するギヤを含む駆動手段とを備え、前記可動体を前記モータの動力によって移動させるようにした遊技機において、前記遊技盤の裏面側に固定される部分及び前記可動体の前記歯部へ向く方向へ弾性変形可能な弓形状の弾性変形部を一体的に形成した合成樹脂製の付勢体を備え、前記モータを含む前記駆動手段は、前記ギヤが前記可動体の前記歯部に対して接近、離間する方向へ移動し得るように前記遊技盤の裏面側に支持されるとともに、前記弾性変形部の弾性力により前記ギヤが前記歯部に接近する方向へ付勢され、前記ギヤに対して前記歯部から押圧力が作用した際、前記弾性変形部の弾性力に抗する方向へ移動する。
【０００６】
（２）上記(１)項において、可動体は、密閉された内部空間に液体が収容され、遊技盤に回転可能に支持されるとともに、その外周に駆動手段のギヤに噛合する歯部を有する円板状をなす。
【０００７】
（３）上記(２)項において、駆動手段を、ギヤが可動体の下半分より上方にある歯部に噛合する位置に配置する。
【０００８】
（４）上記(１)〜(３)項のいずれかにおいて、弾性変形部の長手方向のほぼ中央部に、駆動手段側に設けられた突起部が係合する凹部を設ける。
【発明の効果】
【０００９】
本発明によると、次のような効果を奏することができる。
（ａ）請求項１記載の発明によれば、例えば、遊技機の搬送時、可動体のがた付きにより可動体の歯部に噛合している駆動手段のギヤに負荷が作用しても、駆動手段が付勢体に一体的に形成した弾性変形部の弾性力に抗して移動するため、モータやギヤ等に作用する負荷を吸収して、モータやギヤ等の変形、損傷を防止することができる。
【００１０】
（ｂ）請求項２記載の発明によれば、回転可能に支持された可動体のがた付きに伴うモータやギヤ等の変形、損傷を防止することができる。
【００１１】
（ｃ）請求項３記載の発明によれば、遊技機を遊技ホール等に据え付けた状態において、可動体の自重が駆動手段のギヤに加わらないため、モータやギヤ等の変形、損傷をより確実に防止することができる。
【００１２】
（ｄ）請求項４記載の発明によれば、駆動手段に対して弾性変形部の弾性力を効果的に作用させることができる。
【発明を実施するための最良の形態】
【００１３】
以下、本発明の一実施形態を、図面に基づいて説明する。図１は、本発明の一実施形態を適用した遊技機（パチンコ機）の正面図、図２は、遊技盤の分解斜視図、図３は、演出ユニットの正面図である。
【００１４】
図１に示すように、遊技機(１)は、外枠(２)に取り付けられる遊技盤(３)を備えている。遊技盤(３)の表面は、外枠(２)に開閉可能に枢着されたガラス枠扉(４)により覆われるとともに、その表面には、外側ガイドレール(５)と内側ガイドレール(６)とによって包囲された円形状の遊技領域(７)が設けられている。また、図２に示すように、遊技盤(３)の裏面側には、合成樹脂製のセット板(８)を介して、演出ユニット(９)が取り付けられる。なお、セット板(８)は、本発明に直接関係しないため、詳細な説明は省略する。
【００１５】
遊技盤(３)の表面には、演出ユニット(９)における液晶表示器等により構成される表示装置(91)（図５参照）の画面に表示される左、中及び右３列の数字、図柄等から構成される複数の識別情報(91a)を視認可能とする正面視矩形の表示窓(12a)を有するセンター役物(12)と、センター役物(12)の真下に配置される図柄始動口(13)と、図柄始動口(13)の真下に配置され、遊技者にとって不利な第１状態（遊技球が入賞不能な状態）と遊技者にとって有利な第２状態（遊技球が入賞可能な状態）とに変化可能な大入賞装置(14)と、遊技球を遊技盤(３)の裏面側に排出するアウト口(15)とが設けられている。
【００１６】
遊技者によりガラス枠扉(４)の右下方に設けられた操作ハンドル(10)が操作されると、遊技領域(７)の下方に設けられた球供給皿(11)に貯留されている遊技球が発射装置（図示略）から遊技領域(７)に打ち込まれることによって、ゲームが行われる。遊技領域(７)に打ち込まれた遊技球が図柄始動口(13)に入球すると、これを契機に表示装置(91)に表示されている識別情報(91a)が、所定の確率に基づいて可変表示した後、所定時間経過後、停止して確定表示される。
【００１７】
確定表示された各識別情報(91a)の組み合わせが、予め定められた表示態様、例えば、「３、３、３」のように同一の数字が揃った場合には、大当り状態を生起させ、大入賞装置(14)を第１の状態から第２の状態に変化させ、遊技者に所定の遊技価値を付与するようになっている。
【００１８】
なお、遊技領域(７)には、遊技釘が多数配置され、遊技球は、遊技釘に当接することにより、遊技領域(７)を転動することになるが、遊技釘は、図面簡素化のため省略してある。
【００１９】
図４は、セット板(８)と演出ユニット(９)とを分離した状態の斜視図、図５は、演出ユニット(９)の分解斜視図である。演出ユニット(９)は、セット板(８)を介して遊技盤(３)の裏面側に固定されるとともに、センター役物(12)の表示窓(12a)に重合する矩形の窓(92a)を形成した合成樹脂製の演出支持フレーム(92)を備えている。
【００２０】
演出支持フレーム(92)には、画面に表示される識別情報(91a)が窓(92a)から視認できるように配置される表示装置(91)と、表示装置(91)の前方において回転可能に支持される円板状の可動体(93)と、可動体(93)を回転し得るようにその外周縁を保持するための左右１対のローラ(95)と、可動体(93)を回転させるための駆動手段(94)と、駆動手段(94)を演出支持フレーム(92)に取り付けるためのモータ支持プレート(943)と、駆動手段(94)に対して後述の方向への付勢力を付与する付勢体(99)と、発光ダイオード等が実装された左右の電飾基板(96)と、電飾基板(96)を保護するための合成樹脂製の帯状の保護板(97)と、窓(92a)の周囲に固定される表示枠(921)とがそれぞれの位置に配置される。
【００２１】
可動体(93)は、アクリル等の透明な合成樹脂材で成形されて、外周に歯部(93a)が設けられるとともに、外周縁が左右のローラ(95)(95)により保持されることにより、演出支持フレーム(92)の前面中央に前後方向を向く回転軸線回りに回転自在に保持される。したがって、演出ユニット(９)を遊技盤(３)の裏面側に取り付けた形態では、表示装置(91)に表示される識別情報(91a)は、センター役物(12)の表示窓(12a)及び可動体(93)を透して視認することができる。
【００２２】
なお、可動体(93)を支持するためのローラ(95)は、支持フレーム(92)の前面に設けられた前向きの軸部(92b)に、ホルダー(98)によって支持される。また、演出支持フレーム(92)に配置される各部品は、遊技盤(３)の裏面側に直接する配置することも可能である。
【００２３】
可動体(93)の密閉された内部空間には、透明な液体が収容されている。可動体(93)が所定の方向へ回転すると、可動体(93)の内部に設けられたフィン（図示略）が内部空間内の空気を液体内に進入させて、粒状の泡が液体内に放出されるようになっている。これにより、センター役物(12)の表示窓(12a)に泡を出現させて、ゲームの演出効果を高めることができる。
【００２４】
なお、可動体(93)の演出効果は、液体に泡を発生させるものに特定されるものでない。例えば、可動体(93)の回転に伴って、その表面に施した模様等を回転させたり、可動体(93)及び可動体(93)内の液体を照明する電飾基板(96)を発光させる等して演出を高めるようにしても良い。
【００２５】
駆動手段(94)は、減速ギヤを内蔵した所謂ギヤードモータ(941)と、その前方を向く出力軸(941a)に固定され、可動体(93)の歯部(93a)に噛合するギヤ(942)とを含み、ギヤ(942)が可動体(93)の下半分より上方にある歯部(93a)に噛合する位置、具体的には、可動体(93)の横方向の中心線(Ｘ)（図３参照）より上方に配置されるように、モータ支持プレート(943)を介して、演出支持フレーム(92)の右部の裏面側に取り付けられる。なお、駆動手段(94)のギヤードモータ(941)は、減速ギヤを内蔵していないモータにしても良い。
【００２６】
図６は、斜め前方から見た要部の分解斜視図、図７は、斜め後方から見た要部の分解斜視図、図８は、要部の拡大裏面図、図９は、斜め後方から見た要部の拡大斜視図である。
【００２７】
ギヤードモータ(941)は、後方を向くネジ(945)によりモータ支持プレート(943)の裏面側に固定される。モータ支持プレート(943)は、合成樹脂製であるとともに、ギヤードモータ(941)が固定されるほぼ矩形の基部(943a)を有している。なお、モータ支持プレート(943)は、ギヤードモータ(941)に固定されるものであるため、ギヤードモータ(941)のハウジングと一体的に形成しても良い。
【００２８】
モータ支持プレート(943)の基部(943a)には、左右方向の長孔(943b)及び前方に突出する突起部(943e)、また、基部(943a)の上下部には、左方が開口した切欠き長孔(943d)(943d)を有する取付片(943c)(943c)がそれぞれ設けられている。
【００２９】
駆動手段(94)は、モータ支持プレート(943)に固定した状態で、モータ支持プレート(943)の長孔(943b)を演出支持フレーム(92)の右部裏面に設けられた後方に突出する円柱状の突起部(92c)に遊嵌し、また、切欠き長孔(943d)(943d)を演出支持フレーム(92)の裏面側に設けられた上下の突起部(92d)(92e)に遊嵌するとともに、前方を向くネジ(946)を突起部(92c)(92e)(92e)にそれぞれ螺合することによって、ギヤ(942)が可動体(93)の歯部(93a)に噛合した状態で、演出支持フレーム(92)の右部裏面に左右方向、すなわち可動体(93)の回転軸線方向（前後方向）に直交する方向に摺動自在に支持される。
【００３０】
付勢体(99)は、合成樹脂製で正面視ほぼコ字型をなし、左右方向を向く上下のアーム部(99a)(99a)間には、モータ支持プレート(943)を介して、駆動手段(94)を左方、すなわちギヤ(942)が可動体(93)の歯部(93a)に対して接近する方向の付勢力を付与する付勢手段をなす弾性変形部(99b)が設けられている。弾性変形部(99b)は、上下端が上下のアーム部(99a)(99a)にそれぞれ接続されて左方に突出する弓形状をなして、左右方向に弾性変形可能となっている。
【００３１】
弾性変形部(99b)の上下方向のほぼ中央部には、モータ支持プレート(943)の突起部(943e)に係合可能な凹部(99c)が設けられている。また、上下のアーム部(99a)には、モータ支持プレート(943)の取付片(943c)が左右方向へ摺動可能に遊嵌する溝部(99d)が設けられている。
【００３２】
付勢体(99)は、上下の溝部(99d)にモータ支持プレート(943)の上下の取付片(943c)を遊嵌させるとともに、弾性変形部(99b)の凹部(99c)にモータ支持プレート(943)の突起部(943e)を係合させた状態で、上下のアーム部(99a)の左端部を後方を向くネジ(100)により演出支持フレーム(92)の突起部(92d)に固定することによって、演出支持フレーム(92)に固定される。
【００３３】
これにより、駆動手段(94)は、モータ支持プレート(943)を介して、演出支持フレーム(92)に可動体(93)の回転軸線方向に対して直交する右方向（ギヤ(942)が可動体(93)の歯部(93a)に対して離間する方向）へ移動可能で支持されるとともに、付勢体(99)の弾性変形部(99b)により左方向（ギヤ(942)が可動体(93)の歯部(93a)に対して接近する方向）に付勢される。なお、図８、９に示すように、モータ支持プレート(943)の左端部（図８、９においては右端）が演出支持フレーム(92)に設けられた壁部(92f)に当接することによって、左方への移動が規制されている。これにより、ギヤ(942)は、可動体(93)の歯部(93a)に適度に噛合して、弾性変形部(99b)の付勢力により歯部(93a)に強く押し付けられることはない。
【００３４】
上述のように、駆動手段(94)を、モータ支持プレート(943)を介して、演出支持フレーム(92)、すなわち遊技盤(３)の裏面側に、付勢体(99)の弾性変形部(99b)の付勢力に抗して移動するように支持したことにより、例えば、遊技機(１)の搬送時、可動体(93)のがた付きの影響により、可動体(93)の歯部(93a)に噛合しているギヤ(942)に負荷（押圧力）が作用した場合、駆動手段(94)が可動体(93)の弾性変形部(99b)の付勢力に抗して移動するため、ギヤードモータ(941)やギヤ(942)等に作用する負荷を吸収して、ギヤードモータ(941)やギヤ(942)等の変形、損傷を防止することができる。
【００３５】
また、駆動手段(94)を、ギヤ(942)が可動体(93)の下半分より上方にある歯部(93a)に噛合する位置に配置したことにより、遊技機(１)を遊技ホール等に据え付けた状態において、可動体(93)の自重が駆動手段(94)のギヤ(942)に加わらないため、ギヤードモータ(941)やギヤ(942)等の変形、損傷をより確実に防止することができる。
【００３６】
さらには、弾性変形部(99b)を、弾性変形可能な合成樹脂材によりほぼ弓形状に形成するとともに、そのほぼ中央部に、モータ支持プレート(943)の突起部(943e)が係合する凹部(99c)を設けたことにより、弾性変形部(99b)とモータ支持プレート(943)との係合を確実なものとして、弾性変形部(99b)の付勢力を駆動手段(94)に確実に付与させることができる。
【００３７】
なお、上記実施形態においては、遊技機(１)をパチンコ機としたが、これに代えて、遊技機(１)を、遊技媒体をメダル(コインを含む)とするスロットマシンとしても良い。また、可動体(93)を回転するものに代えて、直線動作または曲線動作するものにしても良い。
【図面の簡単な説明】
【００３８】
【図１】本発明の一実施形態を適用した遊技機の正面図である。
【図２】遊技盤の分解斜視図である。
【図３】演出ユニットの正面図である。
【図４】セット板と演出ユニットとを分離した状態の斜視図である。
【図５】演出ユニットの分解斜視図である。
【図６】斜め前方から見た要部の分解斜視図である。
【図７】斜め後方から見た要部の分解斜視図である。
【図８】要部の拡大裏面図である。
【図９】斜め後方から見た要部の拡大斜視図である。
【符号の説明】
【００３９】
(１)遊技機
(２)外枠
(３)遊技盤
(４)ガラス枠扉
(５)外側ガイドレール
(６)内側ガイドレール
(７)遊技領域
(８)セット板
(９)演出ユニット
(10)操作ハンドル
(11)球供給皿
(12)センター役物
(12a)表示窓
(13)図柄始動口
(14)大入賞装置
(15)アウト口
(91)表示装置
(91a)識別情報
(92)演出支持フレーム
(92a)窓
(92b)軸部
(92c)(92d)(92e)突起部
(92f)壁部
(93)可動体
(93a)歯部
(94)駆動手段
(95)ローラ
(96)電飾基板
(97)保護板
(98)ホルダー
(99)付勢体
(99a)アーム部
(99b)弾性変形部（弾性手段）
(99c)凹部
(99d)溝部
(100)ネジ
(921)表示枠
(941)ギヤードモータ（モータ）
(941a)出力軸
(942)ギヤ
(943)モータ支持プレート
(943a)基部
(943b)長孔
(943c)取付片
(943d)切欠き長孔
(943e)突起部
(945)(946)ネジ
【図１】
0004837348.tif 000002
【図２】
0004837348.tif 000003
【図３】
0004837348.tif 000004
【図４】
0004837348.tif 000005
【図５】
0004837348.tif 000006
【図６】
0004837348.tif 000007
【図７】
0004837348.tif 000008
【図８】
0004837348.tif 000009
【図９】
0004837348.tif 000010